(57)【要約】【課題】本発明は使用者の身体の特性に関係なく安楽に熟眠できる枕を開示する。【解決手段】  本発明の枕は、クッション材からなる本体と、本体と一体をなし本体の中央部分に設けられる頸椎支持部と、本体と一体をなし本体の中央部分に設けられ、頸椎支持部と一定の距離離隔して配置される頭支持部と、頸椎支持部と頭支持部との間に配置され、空間からなる間隔維持部と、を含み、頸椎支持部は、間隔維持部まで延長される湾曲延長部と、湾曲延長部の底面の内側に設けられ、使用者の身体に向かう方向に凹んでいる湾曲溝部と、を含む。【選択図】図１
2017525450.tif 000002
【特許請求の範囲】
【請求項１】
クッション材からなる本体と、
前記本体と一体をなし、前記本体の中央部分に設けられる頸椎支持部と、
前記本体と一体をなし、前記本体の中央部分に設けられ、前記頸椎支持部と一定の距離離隔して配置される頭支持部と、
前記頸椎支持部と前記頭支持部との間に配置され、空間からなる間隔維持部と、を含み、
前記頸椎支持部は、
前記間隔維持部まで延長される湾曲延長部と、
前記湾曲延長部の底面の内側に設けられ、使用者のボディーに向かう方向に凹んでいる湾曲溝部と、を含む枕。
【請求項２】
前記湾曲溝部は、
前記湾曲延長部の幅と同じ大きさからなる請求項１に記載の枕。
【請求項３】
前記湾曲延長部は、
前記頸椎支持部の長さを基準に３０％以内の長さからなる請求項１に記載の枕。
【請求項４】
前記頭支持部は、
下の部分に嵌め込み空間部が設けられ、前記嵌め込み空間部に補助支持部が嵌め込まれる請求項１に記載の枕。
【請求項５】
前記補助支持部は
前記嵌め込み空間部に嵌め込むとき内部カバーで包まれた状態で前記嵌め込み空間部に挿入される請求項４に記載の枕。
【請求項６】
クッション材からなる本体と、
前記本体と一体をなし、前記本体の中央部分に設けられる頸椎支持部と、
前記本体と一体をなし、前記本体の中央部分に設けられ、前記頸椎支持部と一定の距離離隔して配置される頭支持部と、
前記頸椎支持部と前記頭支持部との間に配置され、空間からなる間隔維持部と、を含み、
前記頸椎支持部は、
前記間隔維持部まで延長される湾曲延長部と、
前記湾曲延長部の底面の内側に設けられ変形空間部と、を含む枕。
【請求項７】
前記変形空間部は、
円形または楕円形からなるかまたは前記本体の下端部に貫通した形状からなる請求項６に記載の枕。
【発明の詳細な説明】
【技術分野】
【０００１】
本発明は使用者の身体の特性に関係なく安楽に熟眠できる枕に関する。
【背景技術】
【０００２】
一般に枕は就寝または休息のために横になったとき、頭が楽なように支える寝具として、熟眠を誘導し、頚椎を保護し、かつ姿勢を正しく維持して呼吸と血液循環を円滑にする機能を有することができる。
【０００３】
このような枕はふかふかの四角形模様や水、穀物、動物の毛、繊維などをカバーの中に入れて使用するかまたはメモリフォーム、ラテックスなどのような材質を使用して作ることもある。このような従来の枕は韓国登録特許公報第１０−０９８３５６４号に開示されている。
【０００４】
上述した特許公報には枕をして横になったとき、頚椎と頭部がよじれないように身体のバランスを取って安楽な状態で熟眠を誘導する技術が開示されている。
【０００５】
しかし、従来の枕は使用者の身体的な条件である首の長さが違ったりまたは後頭部の形に応じて十分な安楽さを提供できないという問題点がある。つまり、使用者の首の長さが長い場合と首の長さが顕著に短い場合に同じ構造の枕を使用すれば、何れか一方の使用者は十分に便利さを感じることができるが、他の一側は依然として不便さを感じ得るため、多様な体形に合わせなければならないという困難がある。また、使用者の後頭部が突出した形状であるかまたは平たい形状である場合にも同じ構造の枕を使用する場合、何れか一方は依然として不便さを感じ得るという問題点がある。このように使用者の多様な身体特性に応じて他の種類で製作する場合、生産性が落ちるという問題点がある。
【発明の概要】
【発明が解決しようとする課題】
【０００６】
したがって、本発明は、前記問題点を解決するために提案されたものであって、本発明の目的は、使用者の体形が異なる場合、つまり、首が長いか短い場合にも安楽さを感じることができ、また、頭相の形が異なる場合にも安楽さと心地よさを感じながら熟眠をできる枕を提供することにある。
【課題を解決するための手段】
【０００７】
前述した本発明の目的を達成するため、本発明はクッション材からなる本体と、前記本体と一体をなし、前記本体の中央部分に設けられる頸椎支持部と、前記本体と一体をなし、前記本体の中央部分に設けられ、前記頸椎支持部と一定の距離離隔して配置される頭支持部と、前記頸椎支持部と前記頭支持部との間に配置され、空間からなる間隔維持部と、を含み、前記頸椎支持部は前記間隔維持部まで延長される湾曲延長部と、前記湾曲延長部の底面の内側に設けられ、使用者の身体に向かう方向に凹んでいる湾曲溝部と、を含む枕を提供する。
【０００８】
前記湾曲溝部は、前記湾曲延長部の幅と同じ大きさからなることが好ましい。
【０００９】
前記湾曲延長部は、前記頸椎支持部の長さを基準に３０％以内の長さからなることが好ましい。
【００１０】
前記頭支持部は、下の部分に嵌め込み空間部が設けられ、前記嵌め込み空間部に補助支持部が嵌め込まれ得る。
【００１１】
前記補助支持部は、前記嵌め込み空間部に嵌め込まれるとき、内部カバーで包んだ状態で前記嵌め込み空間部に挿入されることが好ましい。
【発明の効果】
【００１２】
このような本発明の実施形態は、使用者の首が長い場合は、頸椎支持部の湾曲延長部が首の後ろの部分を支持し、首が短い場合は、後頭部の下部が頸椎支持部の湾曲延長部を押して湾曲延長部が湾曲溝部に押され使用者の首の後ろの部分を支持することができる。したがって、本発明の実施形態は使用者の首の長さが長いかまたは短い場合にも心地よく熟眠できる効果ある。
【００１３】
また、本発明は使用者の体格が大きい大人と体格が小さい子供も首の後ろの部分が楽なように支持することができ、使用が便利な効果がある。
【００１４】
また、本発明の実施形態は使用者の後頭部がボールのように丸い形状を有する場合は補助支持部を嵌め込み空間部から除去した状態で使用し、使用者の後頭部が比較的に平らな場合は補助支持部を嵌め込み空間部に挿入して使用できるため、使用者の頭の形に関係なく心地よく熟眠できる効果がある。
【００１５】
また、本発明は使用者の体形に関係なく一種類で製造できるため、大量生産が可能であり、生産性を増大させる効果がある。
【図面の簡単な説明】
【００１６】
【図１】本発明の実施形態を説明するために枕を示す斜視図である。
【図２】図１の背面斜視図である。
【図３】図１のIII−III部を切断してみた断面図である。
【図４】本発明の実施形態を説明するために補助支持部を嵌め込み空間部から除去した状態を示す断面図である。
【図５】本発明の実施形態の他の例示を示す枕の断面図である。
【図６】本発明の実施形態のまた他の例示を示す枕の断面図である。
【発明を実施するための形態】
【００１７】
以下、添付した図面を参照して本発明の実施形態について本発明が属する技術分野で通常の知識を有する者が容易に実施できるように詳細に説明する。しかし、本発明は多様な異なる形態で実現され得、ここで説明する実施形態に限られない。図面で本発明を明確に説明するために説明上不必要な部分は省略し、明細書全体にかけて同一または類似の構成要素に対しては同一の参照符号を付した。
【００１８】
図１は本発明の実施形態を説明するための斜視図であり、図２は図１の背面斜視図であり、図３は図１のIII−III部を切断してみた断面図であり、枕を示している。
【００１９】
本発明の実施形態の枕は、本体１、頸椎支持部３、頭支持部５、そして間隔維持部７を含む。
【００２０】
本体１は枕を成す全体を意味する。このような本体１はメモリフォームまたはラテックスのようなクッション材からなることが好ましい。本体１は両サイド側の高さに比べて中央部分の高さがより低くなることが好ましい。このような本体１の中央部分は使用者の頚椎と頭部分が心地よく接触できるようにラウンド型で低くなることができる。
【００２１】
頸椎支持部３は本体１の中央部分に設けられる。頸椎支持部３は使用者の首の後ろの部分のＣ型カーブ模様に対応する型からなることが好ましい。つまり、頸椎支持部３は、図３の断面を基準に見れば、脹らんだ形のラウンド型からなることが好ましい。このような頸椎支持部３は本体１と同じ材質からなり、本体１と一体をなすことが好ましい。
【００２２】
頭支持部５は頸椎支持部３から一定の距離離隔して本体１の中央部分に配置され得る。頭支持部５は本体１と同じ材質からなり、一体をなすことが好ましい。頭支持部５には多数の空気流通孔５ａが設けられ得る。このような空気流通孔５ａは頭支持部５が使用者の後頭部に接触された状態を維持する時、空気が流通して汗が溜まることを防止することができる。
【００２３】
そして頸椎支持部３と頭支持部５との間には空間からなる間隔維持部７が設けられる。このような間隔維持部７は概ね楕円（図１のｘ方向は長軸であり、ｙ方向は短軸である）形状からなることができる。
【００２４】
一方、上述した頸椎支持部３は間隔維持部７まで延長される部分に湾曲延長部９が設けられる。湾曲延長部９の先端部の一側が上述した間隔維持部７の境界をなし得る。
【００２５】
そして湾曲延長部９の内側の底面（または下部）には湾曲溝部１１が設けられる。湾曲溝部１１は使用者のボディー（使用者の身体の頭の反対方向）に向かう部分に凹むことが好ましい（図面のｙ方向を意味）。このような湾曲溝部１１は湾曲延長部９の幅（ｘと−ｘ方向、使用者が横になった時の両肩に向かう方向）と同じ大きさからなることが好ましい。
【００２６】
上述した湾曲延長部９は頸椎支持部３の長さａを基準に３０％以内の長さｂからなることが好ましい（図３参照）。本発明の実施形態で湾曲延長部９の長さｂが上述した条件を満たさない場合は使用者の首を支持する効果が減少し得る。
【００２７】
一方、頭支持部５の下の部分には嵌め込み空間部１３が設けられる。嵌め込み空間部１３は概ね四角ボックス形状からなることができる。そして嵌め込み空間部１３は補助支持部１５が嵌め込まれ得る。補助支持部１５は内部カバー（Ｃ１、図３参照）が包み  、本体１にもまた他の内部カバーＣ２が包んだ状態で嵌め込み空間部１３に挿入されることが好ましい。
【００２８】
そして本発明の実施形態の枕は内部カバーＣ２が包んだ状態で外部カバーが包んで使用されることが好ましい。
【００２９】
このようになされる本発明の実施形態の作用について詳細に説明すると次の通りである。
【００３０】
まず、使用者は首の部分を頸椎支持部３に位置させて頭を頭支持部５に置いた状態で横になることができる。この時、使用者の首の長さが頸椎支持部３と同じ程度の長さ（ａ、図３参照）を有する場合は頸椎支持部３が使用者の首を支持して心地よさを維持することができる。
【００３１】
そして使用者の首の長さが頸椎支持部３の長さ（ａ、図３参照）より短い場合は頸椎支持部３の湾曲延長部９が点線矢印（図３参照）方向に押される。この時湾曲延長部９は湾曲溝部１１がなす空間に押され、使用者の首を支持することができる（図３の仮想線参照）。したがって使用者の首の長さが短い場合にも頸椎支持部３が使用者の首の全体の部分を支持して心地よさを感じることができる。
【００３２】
また、使用者後頭部の形状が球形で突出した場合は補助支持部１５を嵌め込み空間部１３から除去して使用し得る（図４参照）。このような場合、使用者の後頭部が頭支持部５に押されて頭支持部５は嵌め込み空間部１３がなす空間に移動しながら使用者の頭を囲む形態に頭を支持し得る。
【００３３】
そして使用者後頭部の形状が平らである場合は、補助支持部１５を嵌め込み空間部１３に挿入して使用し得る（図３参照）。このような場合使用者の後頭部が頭支持部５に押されて補助支持部１５が頭支持部５を支持する。したがって、使用者の後頭部が平らな場合も一定の高さを維持して安楽な状態で熟眠できる。
【００３４】
このように本発明の実施形態は使用者の首の長さ、後頭部の形状に関係なく、汎用に枕を使用でき、安楽な状態で熟眠できる。特に、本発明の実施形態は使用者の身体の特性、つまり、首の長さおよび頭状の形に関係なく、一つ製品で対応できるため、安楽に熟眠ができることは勿論製品の種類を減らして生産性を向上させることもできる。
【００３５】
図５は本発明の実施形態の他の例示を説明するための断面図であり、枕を示している。本発明の実施形態の他の例示は上述した説明と比較して同じ部分はその説明に代替し、異なる部分のみを説明する。
【００３６】
本発明の実施形態の他の例示では頸椎支持部３で延長された湾曲延長部１７を備え、湾曲延長部１７の下部に断面の形状が円形からなる変形空間部１９が設けられ得る。つまり、本発明の実施形態の他の例示では湾曲延長部１７が本体１に連結された状態で配置された構造からなる。そして変形空間部１９は円形のみならず楕円形であり得る。特に、変形空間部１９は頸椎支持部３の全体長さａに対して３０％以内の長さｂで設けられることが好ましい。
【００３７】
このような本発明の実施形態の他の例示として上述した例と同様に首が長い使用者が使用するときは頸椎支持部３の全体が使用者の首を支持することができ、首が短い使用者が使用するときは頸椎支持部３の湾曲延長部１７が変形空間部１９側に押され、頸椎支持部３の全体長さが減る。したがって、首が短い使用者の首は湾曲延長部１７が押さられた状態の頸椎支持部３が支持をし得る。したがって、本発明の実施形態の枕は首が長い使用者や体格が小さい子供も便利に使用することができる。
【００３８】
図６は本発明の実施形態のまた他の例示を説明するための断面図であり、枕を示している。本発明の実施形態のまた他の例示は上述した実施形態の説明と比較して同一じ部分はその説明を代替し、異なる部分のみを説明する。
【００３９】
本発明の実施形態のまた他の例示では頸椎支持部３で延長された湾曲延長部２１を備え、湾曲延長部２１の下部にまた他の変形空間部２３が設けられ得る。つまり、本発明の実施形態のまた他の例示では湾曲延長部２１が本体１に連結された状態で配置された構造からなる。そして、本発明の実施形態のまた他の例示の変形空間部２３は本体１の床面から上側方向に傾斜した溝形態からなる。本発明の実施形態の他の例示のまた他の変形空間部２３は下段部分２３ａが頸椎支持部３の下部にオープンされた形態で配置され、上段部分２３ｂが湾曲延長部２１の下部に配置されることが好ましい。そして変形空間部２３の上段部分２３ａはラウンド型からなることが好ましい。つまり、本発明の実施形態のまた他の例示の変形空間部２３は下段部分を基準に上側に行くほど使用者首の上側（使用者の頭に向かう方向）に傾斜して配置される。このような本発明の実施形態のまた他の例示の構造は、首が短い使用者の頭の部分が接触するとき、簡単に湾曲延長部２１が変形されながら頸椎支持部３が使用者の首が楽なように支持する役割を果たすことができる。
【００４０】
以上、本発明の好ましい実施形態について説明したが、本発明はこれに限定されず、特許請求の範囲と発明の詳細な説明および添付する図面の範囲内で多様に変形して実施することができ、これも本発明の範囲に属することは勿論である。
【図１】
2017525450.tif 000003
【図２】
2017525450.tif 000004
【図３】
2017525450.tif 000005
【図４】
2017525450.tif 000006
【図５】
2017525450.tif 000007
【図６】
2017525450.tif 000008
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
クッション材からなる本体と、
前記本体と一体をなし、前記本体の中央部分に設けられる頸椎支持部と、
前記本体と一体をなし、前記本体の中央部分に設けられ、前記頸椎支持部と一定の距離離隔して配置される頭支持部と、
前記頸椎支持部と前記頭支持部との間に配置され、空間からなる間隔維持部と、を含み、
前記頸椎支持部は、
前記間隔維持部まで延長される湾曲延長部と、
前記湾曲延長部の底面の内側に設けられ、使用者のボディーに向かう方向に凹んでいる湾曲溝部と、を含む枕。
【請求項２】
前記湾曲溝部は、
前記湾曲延長部の幅と同じ大きさからなる請求項１に記載の枕。
【請求項３】
前記湾曲延長部は、
前記頸椎支持部の長さを基準に３０％以内の長さからなる請求項１に記載の枕。
【請求項４】
前記頭支持部は、
下の部分に嵌め込み空間部が設けられ、前記嵌め込み空間部に補助支持部が嵌め込まれる請求項１に記載の枕。
【請求項５】
前記補助支持部は
前記嵌め込み空間部に嵌め込むとき内部カバーで包まれた状態で前記嵌め込み空間部に挿入される請求項４に記載の枕。
【国際調査報告】
2017525450.tif 000009
2017525450.tif 000010
2017525450.tif 000011
2017525450.tif 000012